(57)【要約】【課題】室内の美観を向上させること、および利便性を向上させることに貢献する電動口腔衛生装置セットを提供する。【解決手段】電動口腔衛生装置セット１は、電動口腔衛生装置１０、スタンド４０、およびカバー７０を有する。電動口腔衛生装置１０は、衛生装置本体２０および清掃機能部品３０を有する。清掃機能部品３０は、衛生装置本体２０との結合および分離が可能な構造を有する。スタンド４０は、本体支持部５０および部品支持部６０を有する。本体支持部５０は、衛生装置本体２０の本体下方部２２を支持する構造を有する。部品支持部６０は、清掃機能部品３０の部品下方部３５を支持する構造を有する。カバー７０は、スタンド４０との分離が可能な構造を有する。カバー７０は、衛生装置本体２０および清掃機能部品３０を一纏めにして取り囲む構造を有する。【選択図】図１
2014113270.tif 000002
【特許請求の範囲】
【請求項１】
電動口腔衛生装置セットであって、
前記電動口腔衛生装置セットは、電動口腔衛生装置、スタンド、およびカバーを有し、
前記電動口腔衛生装置は、衛生装置本体および清掃機能部品を有し、
前記清掃機能部品は、前記衛生装置本体との結合および分離が可能な構造を有し、
前記スタンドは、本体支持部を有し、
前記本体支持部は、前記衛生装置本体の本体下方部を支持する構造を有し、
前記カバーは、前記スタンドとの分離が可能な構造、および前記衛生装置本体の少なくとも一部を取り囲む構造を有する
電動口腔衛生装置セット。
【請求項２】
前記カバーは、前記衛生装置本体の全周を取り囲む構造を有する
請求項１に記載の電動口腔衛生装置セット。
【請求項３】
前記スタンドは、ガイド面を有し、
前記ガイド面は、前記スタンドの中間部分から外周部分に向かうにつれて前記スタンドの底部側に向けて傾斜している
請求項１または２に記載の電動口腔衛生装置セット。
【請求項４】
前記スタンドは、部品支持部を有し、
前記部品支持部は、前記清掃機能部品の部品下方部を支持する構造を有し、
前記カバーは、前記清掃機能部品の少なくとも一部を取り囲む構造を有する
請求項１〜３のいずれか一項に記載の電動口腔衛生装置セット。
【請求項５】
前記カバーは、前記本体支持部上の前記衛生装置本体、および前記部品支持部上の前記清掃機能部品を一纏めにして取り囲む構造を有する
請求項４に記載の電動口腔衛生装置セット。
【請求項６】
前記スタンドは、嵌合内側部を有し、
前記カバーは、嵌合外側部を有し、
前記嵌合内側部および前記嵌合外側部は、嵌合構造を形成する
請求項１〜５のいずれか一項に記載の電動口腔衛生装置セット。
【請求項７】
前記スタンドは、直立方向を高さ方向と規定し、正面視において高さ方向に直交する方向を幅方向と規定し、平面視において前記幅方向と直交する方向を奥行方向と規定し、
前記嵌合内側部は、前記スタンドの平面視において非円形かつ線対称の形状を有し、前記幅方向の長さが前記奥行方向の長さよりも短く、
前記嵌合外側部は、前記嵌合内側部と相似する形状を有する
請求項６に記載の電動口腔衛生装置セット。
【請求項８】
前記嵌合内側部は、前記スタンドの平面視において円形を有し、
前記嵌合外側部は、前記嵌合内側部と相似する形状を有する
請求項６に記載の電動口腔衛生装置セット。
【請求項９】
前記カバーは、複数の通気孔を有し、前記スタンドの平面視において点対称の形状を有する
請求項１〜８のいずれか一項に記載の電動口腔衛生装置セット。
【請求項１０】
前記カバーは、前記衛生装置本体および前記清掃機能部品が互いに結合された前記電動口腔衛生装置を取り囲む構造を有する
請求項１〜９のいずれか一項に記載の電動口腔衛生装置セット。
【請求項１１】
前記電動口腔衛生装置セットは、充電装置を有し、
前記充電装置は、前記スタンドを支持する構造を有する
請求項１〜１０のいずれか一項に記載の電動口腔衛生装置セット。
【請求項１２】
前記スタンドは、前記充電装置との結合および分離が可能な構造を有する
請求項１１に記載の電動口腔衛生装置セット。
【請求項１３】
前記充電装置は、非接触式電力伝送装置の形態を有し、
前記本体支持部は、本体支持面、本体用空間、および本体用受部を有し、前記本体用空間に前記本体下方部が挿入されることにより前記衛生装置本体を支持する構造を有し、
前記本体用空間は、前記本体支持面に囲まれて形成され、前記スタンドを貫通し、
前記本体用受部は、前記本体支持面における前記充電装置側の部分から前記本体用空間に向けて突出している
請求項１１または１２に記載の電動口腔衛生装置セット。
【発明の詳細な説明】
【技術分野】
【０００１】
本発明は、電動口腔衛生装置セットに関する。
【背景技術】
【０００２】
特許文献１は、従来の電動口腔衛生装置セットの一例を開示している。図１６は、特許文献１の電動口腔衛生装置セット９００の正面構造を示す。図１７は、電動口腔衛生装置セット９００の断面構造を示す。図１８は、構成要素が分離された電動口腔衛生装置セット９００の正面構造を示す。
【０００３】
電動口腔衛生装置セット９００は、電動歯ブラシ９１０、収納装置９２０、およびコップ９４０を有する（図１６参照）。電動歯ブラシ９１０は、電動歯ブラシ本体９１１およびブラシアタッチメント９１２を有する（図１７参照）。ブラシアタッチメント９１２は、電動歯ブラシ本体９１１との結合および分離が可能な構造を有する。収納装置９２０は、充電台９３０、背柱９２１、および扉９２２を有する（図１８参照）。充電台９３０は、鉄心９３１、１次巻線９３２、および凹所９３３を有する。背柱９２１は、充電台９３０上に形成されている（図１８参照）。扉９２２は、観音開きの構造を有する（図１８参照）。扉９２２は、棚９２３を有する。コップ９４０は、収納装置９２０に被せることが可能な構造を有する（図１８参照）。
【０００４】
電動口腔衛生装置セット９００は、収納装置９２０により電動歯ブラシ９１０を収納しているとき、図１６および図１７に示される状態を形成する。電動歯ブラシ本体９１１は、凹所９３３に載せられている。ブラシアタッチメント９１２は、扉９２２の棚９２３に載せられている。扉９２２は、閉じられている。コップ９４０は、閉じられた扉９２２の上部に被せられている。このように、電動口腔衛生装置セット９００は、電動歯ブラシ本体９１１およびブラシアタッチメント９１２を収納装置９２０およびコップ９４０により覆う。このため、電動歯ブラシ９１０が使用者等の目に触れない。
【０００５】
電動口腔衛生装置セット９００は、電動歯ブラシ９１０を使用者に提供するとき、図１８に示される状態を形成する。コップ９４０は、収納装置９２０から分離されている。扉９２２は、開けられている。電動歯ブラシ本体９１１は、凹所９３３から抜き出すことが可能な状態を形成している。ブラシアタッチメント９１２は、棚９２３から取り出すことが可能な状態を形成している。
【先行技術文献】
【特許文献】
【０００６】
【特許文献１】実開平２−１４７０４０号公報
【発明の概要】
【発明が解決しようとする課題】
【０００７】
本願発明者は、電動口腔衛生装置セット９００が次の課題を含むことを見出した。
電動口腔衛生装置セット９００は、電動歯ブラシ９１０が視認されることが室内の美観を損なうと考える使用者に対して、室内の美観を向上させる効果を提供する。しかし、使用者は、電動歯ブラシ９１０を使用するごとに扉９２２を操作する必要がある。このため、使用者は、電動歯ブラシ９１０を扉９２２およびコップ９４０により隠すことを希望しない場合においても、扉９２２の操作が求められる。このため、電動口腔衛生装置セット９００は、利便性の側面において改善の余地を有する。
【０００８】
本発明は、以上の背景をもとに創作されたものであり、室内の美観を向上させること、および利便性を向上させることに貢献する電動口腔衛生装置セットを提供することを目的とする。
【課題を解決するための手段】
【０００９】
（１）本手段の一形態は、「電動口腔衛生装置セットであって、前記電動口腔衛生装置セットは、電動口腔衛生装置、スタンド、およびカバーを有し、前記電動口腔衛生装置は、衛生装置本体および清掃機能部品を有し、前記清掃機能部品は、前記衛生装置本体との結合および分離が可能な構造を有し、前記スタンドは、本体支持部を有し、前記本体支持部は、前記衛生装置本体の本体下方部を支持する構造を有し、前記カバーは、前記スタンドとの分離が可能な構造、および前記衛生装置本体の少なくとも一部を取り囲む構造を有する電動口腔衛生装置セット」を含む。
【００１０】
（２）上記手段の一形態は、「前記カバーは、前記衛生装置本体の全周を取り囲む構造を有する電動口腔衛生装置セット」を含む。
（３）上記手段の一形態は、「前記スタンドは、ガイド面を有し、前記ガイド面は、前記スタンドの中間部分から外周部分に向かうにつれて前記スタンドの底部側に向けて傾斜している電動口腔衛生装置セット」を含む。
【００１１】
（４）上記手段の一形態は、「前記スタンドは、部品支持部を有し、前記部品支持部は、前記清掃機能部品の部品下方部を支持する構造を有し、前記カバーは、前記清掃機能部品の少なくとも一部を取り囲む構造を有する電動口腔衛生装置セット」を含む。
【００１２】
（５）上記手段の一形態は、「前記カバーは、前記本体支持部上の前記衛生装置本体、および前記部品支持部上の前記清掃機能部品を一纏めにして取り囲む構造を有する電動口腔衛生装置セット」を含む。
【００１３】
（６）上記手段の一形態は、「前記スタンドは、嵌合内側部を有し、前記カバーは、嵌合外側部を有し、前記嵌合内側部および前記嵌合外側部は、嵌合構造を形成する電動口腔衛生装置セット」を含む。
【００１４】
（７）上記手段の一形態は、「前記スタンドは、直立方向を高さ方向と規定し、正面視において高さ方向に直交する方向を幅方向と規定し、平面視において前記幅方向と直交する方向を奥行方向と規定し、前記嵌合内側部は、前記スタンドの平面視において非円形かつ線対称の形状を有し、前記幅方向の長さが前記奥行方向の長さよりも短く、前記嵌合外側部は、前記嵌合内側部と相似する形状を有する電動口腔衛生装置セット」を含む。
【００１５】
（８）上記手段の一形態は、「前記嵌合内側部は、前記スタンドの平面視において円形を有し、前記嵌合外側部は、前記嵌合内側部と相似する形状を有する電動口腔衛生装置セット」を含む。
【００１６】
（９）上記手段の一形態は、「前記カバーは、複数の通気孔を有し、前記スタンドの平面視において点対称の形状を有する電動口腔衛生装置セット」を含む。
（１０）上記手段の一形態は、「前記カバーは、前記衛生装置本体および前記清掃機能部品が互いに結合された前記電動口腔衛生装置を取り囲む構造を有する電動口腔衛生装置セット」を含む。
【００１７】
（１１）上記手段の一形態は、「前記電動口腔衛生装置セットは、充電装置を有し、前記充電装置は、前記スタンドを支持する構造を有する電動口腔衛生装置セット」を含む。
（１２）上記手段の一形態は、「前記スタンドは、前記充電装置との結合および分離が可能な構造を有する電動口腔衛生装置セット」を含む。
【００１８】
（１３）上記手段の一形態は、「前記充電装置は、非接触式電力伝送装置の形態を有し、前記本体支持部は、本体支持面、本体用空間、および本体用受部を有し、前記本体用空間に前記本体下方部が挿入されることにより前記衛生装置本体を支持する構造を有し、前記本体用空間は、前記本体支持面に囲まれて形成され、前記スタンドを貫通し、前記本体用受部は、前記本体支持面における前記充電装置側の部分から前記本体用空間に向けて突出している電動口腔衛生装置セット」を含む。
【００１９】
上記各手段は、以下の効果を奏する。
本電動口腔衛生装置セットは、カバーにより、衛生装置本体の少なくとも一部を取り囲むことができる。衛生装置本体は、カバーにより取り囲まれているとき、使用者等に視認されにくくなる。このため、本電動口腔衛生装置セットは、室内の美観を向上させることに貢献する。また、本電動口腔衛生装置セットのカバーは、スタンドとの分離が可能な構造を有する。このため、本電動口腔衛生装置セットは、少なくとも２つの使用形態を使用者に提供する。１つめの使用形態は、スタンドに支持された衛生装置本体をカバーにより取り囲む形態を示す。２つめの使用形態は、スタンドに支持された衛生装置本体を露出させ、カバーをスタンドとは別の箇所に収納する使用形態を示す。このため、使用者は、カバーを必要としない場合、電動口腔衛生装置の使用時にカバーを操作する必要がない。このため、利便性が向上する。このように、本電動口腔衛生装置セットは、室内の美観を向上させること、および利便性を向上させることに貢献する。
【００２０】
「前記衛生装置本体の少なくとも一部を取り囲む構造」は、少なくとも次の２つの構造を含む。１つめの構造は、「衛生装置本体の一部を取り囲む構造」を示す。２つめの構造は、「衛生装置本体の全部を取り囲む構造」を示す。
【００２１】
１つめの構造は、少なくとも次の３つの形態を含む。１つめの形態は、カバーに取り囲まれた衛生装置本体の一部が、カバーの外側から完全に視認されない形態を示す。２つめの形態は、カバーに取り囲まれた衛生装置本体の一部に含まれる一部が、カバーの外側から視認される形態を示す。２つめの形態は、室内の美観が損なわれない範囲において、衛生装置本体の一部が視認できる状態を形成する。
【００２２】
２つめの構造は、少なくとも次の３つの形態を含む。１つめの形態は、カバーに取り囲まれた衛生装置本体の全部が、カバーの外側から完全に視認されない形態を示す。２つめの形態は、カバーに取り囲まれた衛生装置本体の全部に含まれる一部が、カバーの外側から視認される形態を示す。２つめの形態は、室内の美観が損なわれない範囲において、衛生装置本体の一部が視認できる状態を形成する。
【００２３】
「前記本体支持部上の前記衛生装置本体、および前記部品支持部上の前記清掃機能部品を一纏めにして取り囲む構造」は、少なくとも次の４つの構造を含む。１つめの構造は、「本体支持部上の衛生装置本体の一部、および部品支持部上の清掃機能部品の一部を一纏めにして取り囲む構造」を示す。２つめの構造は、「本体支持部上の衛生装置本体の全部、および部品支持部上の清掃機能部品の一部を一纏めにして取り囲む構造」を示す。３つめの構造は、「本体支持部上の衛生装置本体の一部、および部品支持部上の清掃機能部品の全部を一纏めにして取り囲む構造」を示す。４つめの構造は、「本体支持部上の衛生装置本体の全部、および部品支持部上の清掃機能部品の全部を一纏めにして取り囲む構造」を示す。
【００２４】
１つめの構造は、少なくとも次の３つの形態を含む。１つめの形態は、カバーに取り囲まれた衛生装置本体の一部および清掃機能部品の一部が、カバーの外側から完全に視認されない形態を示す。２つめの形態は、カバーに取り囲まれた衛生装置本体の一部に含まれる一部が、カバーの外側から視認される形態を示す。３つめの形態は、カバーに取り囲まれた清掃機能部品の一部に含まれる一部が、カバーの外側から視認される形態を示す。２つめの形態および３つめの形態は、室内の美観が損なわれない範囲において、衛生装置本体の一部または清掃機能部品の一部が視認できる状態を形成する。
【００２５】
２つめの構造は、少なくとも次の３つの形態を含む。１つめの形態は、カバーに取り囲まれた衛生装置本体の全部および清掃機能部品の一部が、カバーの外側から完全に視認されない形態を示す。２つめの形態は、カバーに取り囲まれた衛生装置本体の全部に含まれる一部が、カバーの外側から視認される形態を示す。３つめの形態は、カバーに取り囲まれた清掃機能部品の一部に含まれる一部が、カバーの外側から視認される形態を示す。２つめの形態および３つめの形態は、室内の美観が損なわれない範囲において、衛生装置本体の一部または清掃機能部品の一部が視認できる状態を形成する。
【００２６】
３つめの構造は、少なくとも次の３つの形態を含む。１つめの形態は、カバーに取り囲まれた衛生装置本体の一部および清掃機能部品の全部が、カバーの外側から完全に視認されない形態を示す。２つめの形態は、カバーに取り囲まれた衛生装置本体の一部に含まれる一部が、カバーの外側から視認される形態を示す。３つめの形態は、カバーに取り囲まれた清掃機能部品の全部に含まれる一部が、カバーの外側から視認される形態を示す。２つめの形態および３つめの形態は、室内の美観が損なわれない範囲において、衛生装置本体の一部または清掃機能部品の一部が視認できる状態を形成する。
【００２７】
４つめの構造は、少なくとも次の３つの形態を含む。１つめの形態は、カバーに取り囲まれた衛生装置本体の全部および清掃機能部品の全部が、カバーの外側から完全に視認されない形態を示す。２つめの形態は、カバーに取り囲まれた衛生装置本体の全部に含まれる一部が、カバーの外側から視認される形態を示す。３つめの形態は、カバーに取り囲まれた清掃機能部品の全部に含まれる一部が、カバーの外側から視認される形態を示す。２つめの形態および３つめの形態は、室内の美観が損なわれない範囲において、衛生装置本体の一部または清掃機能部品の一部が視認できる状態を形成する。
【発明の効果】
【００２８】
本電動口腔衛生装置セットは、室内の美観を向上させること、および利便性を向上させることに貢献する。
【図面の簡単な説明】
【００２９】
【図１】第１実施形態の電動口腔衛生装置セットに関する図であり、（ａ）はカバーがスタンドから分離された状態の斜視図、（ｂ）はカバーがスタンドに嵌合された状態の斜視図。
【図２】第１実施形態の電動口腔衛生装置セットに関する図であり、（ａ）は正面図、（ｂ）は背面図、（ｃ）は側面図。
【図３】第１実施形態の電動口腔衛生装置セットに関する図であり、（ａ）は図２のＸＡ−ＸＡ線において各構成部品が破断された断面図、（ｂ）は図２のＸＢ−ＸＢ線において各構成部品が破断された断面図。
【図４】第１実施形態のスタンドの平面図。
【図５】第１実施形態のスタンドの正面図。
【図６】第１実施形態のスタンドの側面図。
【図７】第１実施形態のスタンドの底面図。
【図８】第１実施形態のカバーに関する図であり、図２のＸＡ−ＸＡ線において破断された断面図。
【図９】第１実施形態のカバーの底面図。
【図１０】第１実施形態の電動口腔衛生装置セットの平面図。
【図１１】第１実施形態の電動口腔衛生装置セットの底面図。
【図１２】第２実施形態の電動口腔衛生装置セットに関する図であり、スタンドが充電装置から分離され、カバーがスタンドから分離された状態の斜視図。
【図１３】第２実施形態の電動口腔衛生装置セットに関する図であり、スタンドが充電装置に結合され、カバーがスタンドに嵌合された状態の斜視図。
【図１４】第２実施形態の電動口腔衛生装置セットに関する図であり、（ａ）は正面図、（ｂ）は背面図、（ｃ）は側面図。
【図１５】第２実施形態の電動口腔衛生装置セットに関する図であり、（ａ）は図１４のＸＣ−ＸＣ線において各構成部品が破断された断面図、（ｂ）は図１４のＸＤ−ＸＤ線において各構成部品が破断された断面図。
【図１６】従来の電動口腔衛生装置セットの正面図。
【図１７】従来の電動口腔衛生装置セットの断面図。
【図１８】従来の電動口腔衛生装置セットの分解正面図。
【発明を実施するための形態】
【００３０】
（第１実施形態）
図１および図２を参照して、電動口腔衛生装置セット１の構成について説明する。
電動口腔衛生装置セット１は、一例として、洗面台に配置される。電動口腔衛生装置セット１は、図１（ｂ）および図２に示されるとおり、室内の美観の向上に貢献する外観を有する。電動口腔衛生装置セット１は、複数の構成部品を有する。電動口腔衛生装置セット１は、複数の構成部品として、図１（ａ）に示される電動口腔衛生装置１０、スタンド４０、およびカバー７０を有する。電動口腔衛生装置セット１は、スタンド４０により電動口腔衛生装置１０を支持する構造を有する。電動口腔衛生装置セット１は、スタンド４０上の電動口腔衛生装置１０をカバー７０により取り囲む構造を有する。電動口腔衛生装置セット１は、カバー７０がスタンド４０に載せられているとき、電動口腔衛生装置１０を収納する物品であることが認識されにくい外観を形成する。
【００３１】
電動口腔衛生装置セット１の各構成部品は、幅方向ＤＸ、高さ方向ＤＹ、奥行方向ＤＺ、および平面方向を規定する。高さ方向ＤＹは、各構成部品の直立方向の双方向を示す。幅方向ＤＸは、電動口腔衛生装置セット１の正面視において高さ方向ＤＹに直交する双方向を示す。奥行方向ＤＺは、幅方向ＤＸおよび高さ方向ＤＹに直交する双方向を示す。平面方向は、高さ方向ＤＹに直交する全部の方向を示す。平面方向は、幅方向ＤＸおよび奥行方向ＤＺを含む。なお、各図面の座標軸は、衛生装置本体２０、スタンド４０、およびカバー７０の幅方向ＤＸ、高さ方向ＤＹ、および奥行方向ＤＺを示している。清掃機能部品３０は、スタンド４０に載せられているとき、衛生装置本体２０、スタンド４０、およびカバー７０と座標軸が異なる。
【００３２】
幅方向ＤＸの一方は、右方向ＤＸＲを示す。幅方向ＤＸの他方は、左方向ＤＸＬを示す。右方向ＤＸＲは、電動口腔衛生装置セット１の正面視において左から右に向かう方向を示す。左方向ＤＸＬは、電動口腔衛生装置セット１の正面視において右から左に向かう方向を示す。
【００３３】
高さ方向ＤＹの一方は、上方向ＤＹＴを示す。高さ方向ＤＹの他方は、下方向ＤＹＢを示す。上方向ＤＹＴは、電動口腔衛生装置セット１の正面視においてスタンド４０の設置面側からカバー７０の頂部側に向かう方向を示す。下方向ＤＹＢは、電動口腔衛生装置セット１の正面視においてカバー７０の頂部側からスタンド４０の設置面側に向かう方向を示す。
【００３４】
奥行方向ＤＺの一方は、前方向ＤＺＦを示す。奥行方向ＤＺの他方は、後方向ＤＺＲを示す。前方向ＤＺＦは、電動口腔衛生装置セット１の平面視において背面側から正面側に向かう方向を示す。後方向ＤＺＲは、電動口腔衛生装置セット１の平面視において正面側から背面側に向かう方向を示す。
【００３５】
図３を参照して、電動口腔衛生装置１０の構成について説明する。
電動口腔衛生装置１０は、電動歯ブラシの形態を有する。電動口腔衛生装置１０は、衛生装置本体２０、清掃機能部品３０、および電池１１を有する。電動口腔衛生装置１０は、衛生装置本体２０および清掃機能部品３０を互いに結合および分離することが可能な構造を有する。電動口腔衛生装置１０は、衛生装置本体２０により清掃機能部品３０を往復運動させる。電動口腔衛生装置１０は、電池１１として、１次電池または２次電池を有する。
【００３６】
衛生装置本体２０は、ケース２１、結合部２６、装飾部２７、操作部２８、および電動アクチュエーター２９を有する。衛生装置本体２０は、電動アクチュエーター２９により結合部２６を往復運動させる。衛生装置本体２０は、操作部２８の操作に応じて電動アクチュエーター２９を駆動させる。
【００３７】
ケース２１は、樹脂材料により形成されている。ケース２１は、縦長形状を有する。ケース２１は、本体下方部２２、本体上方部２３、本体外周面２４、および本体外底面２５を有する。ケース２１は、電池１１の取り付けおよび取り外しが可能な構造を有する。
【００３８】
本体下方部２２は、ケース２１のうちの下方向ＤＹＢ側の部分を形成している。本体上方部２３は、ケース２１のうちの上方向ＤＹＴ側の部分を形成している。本体外周面２４は、ケース２１の外周面を形成している。本体外底面２５は、ケース２１の底面としての本体下方部２２の底面を形成している。
【００３９】
結合部２６は、金属材料により形成されている。結合部２６は、軸形状を有する。結合部２６は、一部がケース２１の内部に収容され、別の一部がケース２１から突出している。結合部２６は、清掃機能部品３０の結合部３４との結合および分離が可能な構造を有する。
【００４０】
装飾部２７は、縦長形状を有する。装飾部２７は、衛生装置本体２０のデザイン性を向上させる外観を有する。装飾部２７は、本体外周面２４上に形成されている。装飾部２７は、本体下方部２２から本体上方部２３までにわたり形成されている。装飾部２７は、ケース２１と異なる色を有する。
【００４１】
操作部２８は、樹脂材料により形成されている。操作部２８は、衛生装置本体２０のデザイン性を向上させる外観を有する。操作部２８は、円形状を有する。操作部２８は、ケース２１に取り付けられている。操作部２８は、装飾部２７の中間部分から露出している。操作部２８は、電動アクチュエーター２９の電源をオンまたはオフする。
【００４２】
清掃機能部品３０は、縦長形状を有する。清掃機能部品３０は、歯ブラシ型のアタッチメントの形態を有する。清掃機能部品３０は、機能部品本体３１およびブラシ３９を有する。清掃機能部品３０は、機能部品本体３１にブラシ３９が植え込まれた構造を有する。
【００４３】
機能部品本体３１は、樹脂材料により形成されている。機能部品本体３１は、縦長形状を有する。機能部品本体３１は、ステー３２、ヘッド３３、結合部３４、部品下方部３５、部品上方部３６、部品外周面３７、および部品外底面３８を有する。機能部品本体３１は、ステー３２およびヘッド３３が同一の材料により一体的に形成された構造を有する。機能部品本体３１は、部品下方部３５、部品上方部３６、部品外周面３７、および部品外底面３８を有する。
【００４４】
ステー３２は、縦長形状を有する。ステー３２は、部品下方部３５を有する。ヘッド３３は、楕円形状に類似する形状を有する。ヘッド３３は、部品上方部３６を有する。結合部３４は、内部の空間に結合部２６が挿入されることにより、結合部２６と結合する構造を有する。ブラシ３９は、ヘッド３３に植え込まれている。
【００４５】
部品下方部３５は、機能部品本体３１のうちの下方向ＤＹＢ側の部分を形成している。部品上方部３６は、機能部品本体３１のうちの上方向ＤＹＴ側の部分を形成している。部品外周面３７は、機能部品本体３１の外周面を形成している。部品外底面３８は、機能部品本体３１の底面としての部品下方部３５の底面を形成している。
【００４６】
図４〜図７を参照して、スタンド４０の構成について説明する。なお、図４〜図７を参照する以下の説明において、衛生装置本体２０および清掃機能部品３０に関する構造は、図３により確認することができる。また、カバー７０に関する構造は、図８〜図１０により確認することができる。
【００４７】
スタンド４０は、樹脂材料により形成されている。スタンド４０は、美観の側面から、白色系の樹脂材料または半透明の樹脂材料により形成されることが好ましい。スタンド４０は、一例として、ＡＢＳ樹脂、ポリプロピレン、またはポリカーボネートにより形成される。スタンド４０の樹脂材料は、一例として、白色を有する。
【００４８】
スタンド４０は、一例として、図４に示される平面構造を有する。スタンド４０は、スタンド本体４１、嵌合内側部４２、フランジ部４３、複数のスタンド脚部４４（図５参照）、ガイド面４５、内側嵌合面４６、下部外周面４７、およびカバー受面４８を有する。スタンド４０は、スタンド本体４１、フランジ部４３、およびスタンド脚部４４が同一の材料により一体的に形成された構造を有する。スタンド４０は、衛生装置本体２０および清掃機能部品３０を個別に支持する構造を有する。
【００４９】
スタンド４０は、使用性の向上および美観の向上に貢献する高さを有する。スタンド４０の高さは、スタンド脚部４４の設置面からスタンド本体４１の頂部までの距離により規定される。スタンド４０の高さは、適正高さ範囲に含まれることが好ましい。適正高さ範囲は、一例として、５．０ｍｍ〜３０ｍｍの範囲を有する。スタンド４０の高さは、一例として、１６．３ｍｍを有する。
【００５０】
スタンド４０の高さは、適正高さ範囲から外れる場合、スタンド４０の使用性および美観に対して好ましくない影響を及ぼす可能性を有する。スタンド４０の使用性は、スタンド４０に対するカバー７０の取り付けおよび取り外しに関する性能を示す。スタンド４０の使用性に対する好ましくない影響は、少なくとも次の４点を含む。１点目は、スタンド４０に対するカバー７０の取付位置が認識しにくくなることを示す。２点目は、スタンド４０上の衛生装置本体２０または清掃機能部品３０が転倒しやすくなることを示す。３点目は、スタンド４０に対するカバー７０の取り付けおよび取り外しの操作時において、カバー７０の操作量が大きくなることを示す。４点目は、スタンド４０に対する衛生装置本体２０の取り付けおよび取り外しの操作時において、衛生装置本体２０の操作量が大きくなることを示す。スタンド４０の美観に対する好ましくない影響は、スタンド４０とカバー７０との視覚的なバランスが崩れることを含む。
【００５１】
スタンド４０の高さは、５．０ｍｍ未満の場合、スタンド４０の使用性に対して上記１点目および２点目の好ましくない影響を及ぼす可能性を有する。スタンド４０の高さは、３０ｍｍよりも大きい場合、スタンド４０の使用性に対して上記３点目および４点目の好ましくない影響を及ぼす可能性を有する。スタンド４０の高さは、３０ｍｍよりも大きい場合、美観に対して好ましくない影響を及ぼす可能性を有する。
【００５２】
スタンド本体４１は、スタンド４０の主要な部分を形成している。スタンド本体４１は、本体支持部５０、部品支持部６０、嵌合内側部４２、ガイド面４５、および内側嵌合面４６を有する。スタンド本体４１は、本体支持部５０により衛生装置本体２０を支持する構造、および部品支持部６０により清掃機能部品３０を支持する構造を有する。
【００５３】
嵌合内側部４２は、スタンド本体４１の平面方向の外側部分を形成している。嵌合内側部４２は、カバー７０の嵌合外側部７３とともに嵌合構造を形成する。嵌合内側部４２は、内側嵌合面４６を有する。嵌合内側部４２は、スタンド４０の平面視において、幅方向ＤＸに短手部分を有する。嵌合内側部４２は、スタンド４０の平面視において、奥行方向ＤＺに長手部分を有する。嵌合内側部４２の幅方向ＤＸの最大寸法は、嵌合内側部４２の奥行方向ＤＺの最小寸法よりも短い。
【００５４】
内側嵌合面４６は、スタンド４０の平面視において、非円形かつ線対称の形状を有する。内側嵌合面４６は、カバー７０の外側嵌合面７３Ａと相似する形状を有する。内側嵌合面４６は、嵌合内側部４２の外周面を形成している。内側嵌合面４６は、ガイド面４５およびカバー受面４８と連続している。内側嵌合面４６は、外側嵌合面７３Ａと接触することにより、平面方向においてスタンド４０に対するカバー７０の位置を規定する。
【００５５】
ガイド面４５は、曲面形状を有する。ガイド面４５は、スタンド本体４１の平面方向の内側部分から外側部分に向かうにつれて上方向ＤＹＴから下方向ＤＹＢに向けて傾斜している。ガイド面４５は、スタンド本体４１の頂面を形成している。ガイド面４５は、本体支持部５０の本体支持面５１、部品支持部６０の部品支持面６１、および内側嵌合面４６と連続している。ガイド面４５は、カバー７０のカバー外底面７１Ｃと接触することにより、カバー７０をカバー受面４８に向けてガイドする。
【００５６】
本体支持部５０は、スタンド本体４１の平面方向の内側部分を形成している。本体支持部５０は、奥行方向ＤＺにおいて部品支持部６０の前方向ＤＺＦ側に形成されている。本体支持部５０の幅方向ＤＸの中心線は、スタンド４０の平面視において、スタンド本体４１の幅方向ＤＸの中心線と一致している。本体支持部５０の奥行方向ＤＺの中心線は、スタンド４０の平面視において、スタンド本体４１の奥行方向ＤＺの中心線に対して前方向ＤＺＦ側にオフセットしている。本体支持部５０は、本体支持面５１、本体用空間５２、および４つの本体用受部５３を有する。本体支持部５０は、本体用空間５２に挿入された衛生装置本体２０の本体下方部２２を支持する構造を有する。
【００５７】
本体支持面５１は、スタンド４０の平面視において、非円形かつ線対称の形状を有する。本体支持面５１は、本体下方部２２の本体外周面２４と相似する形状を有する。本体支持面５１は、本体用空間５２を形成している。本体支持面５１は、スタンド４０の平面視において、幅方向ＤＸに短手部分を有する。本体支持面５１は、スタンド４０の平面視において、奥行方向ＤＺに長手部分を有する。本体支持面５１の幅方向ＤＸの最大寸法は、本体支持面５１の奥行方向ＤＺの最小寸法よりも短い。
【００５８】
本体用空間５２は、本体支持面５１により規定される外周形状を有する。本体用空間５２は、スタンド４０の高さ方向ＤＹにおいて、スタンド本体４１の平面方向の内側部分を貫通している。本体用空間５２は、本体下方部２２の収容に適した容積を有する。
【００５９】
本体用受部５３は、円弧形状に類似する形状を有する。本体用受部５３は、本体用空間５２のうちの下方向ＤＹＢ側の位置に形成されている。本体用受部５３は、本体支持面５１における下方向ＤＹＢ側の部分から本体用空間５２に向けて突出している。本体用受部５３は、本体外底面２５と接触することにより、高さ方向ＤＹにおいてスタンド４０に対する衛生装置本体２０の位置を規定する（図１１参照）。本体用受部５３は、本体用空間５２の下方向ＤＹＢ側の開口面積が適正面積範囲に含まれる構造を有する。適正面積範囲は、衛生装置本体２０の好ましい乾燥性および排水性が得られる範囲を示す。
【００６０】
部品支持部６０は、スタンド本体４１の平面方向の内側部分を形成している。部品支持部６０は、奥行方向ＤＺにおいて本体支持部５０の後方向ＤＺＲ側に形成されている。部品支持部６０の幅方向ＤＸの中心線は、スタンド４０の平面視において、スタンド本体４１の幅方向ＤＸの中心線と一致している。部品支持部６０の奥行方向ＤＺの中心線は、スタンド４０の平面視において、スタンド本体４１の奥行方向ＤＺの中心線に対して後方向ＤＺＲ側にオフセットしている。部品支持部６０は、部品支持面６１、部品用空間６２、部品用受部６３、および部品用支柱６４を有する。部品支持部６０は、部品用空間６２に挿入された清掃機能部品３０の部品下方部３５を支持する構造を有する。
【００６１】
部品支持面６１は、スタンド４０の平面視において、非円形かつ線対称の形状を有する。部品支持面６１は、部品下方部３５の部品外周面３７と相似する形状を有する。部品支持面６１は、部品用空間６２を形成している。部品支持面６１は、スタンド４０の平面視において、幅方向ＤＸに長手部分を有する。部品支持面６１は、スタンド４０の平面視において、奥行方向ＤＺに短手部分を有する。部品支持面６１の奥行方向ＤＺの最大寸法は、部品支持面６１の幅方向ＤＸの最小寸法よりも短い。
【００６２】
部品用空間６２は、部品支持面６１により規定される形状を有する。部品用空間６２は、スタンド４０の高さ方向ＤＹにおいて、スタンド本体４１の平面方向の内側部分を貫通している。部品用空間６２は、部品下方部３５の収容に適した容積を有する。
【００６３】
部品用受部６３は、十字形状に類似する形状を有する。部品用受部６３は、部品用空間６２のうちの下方向ＤＹＢ側の位置に形成されている。部品用受部６３は、受部中間部６３Ａおよび４つの受部連結部６３Ｂを有する。部品用受部６３は、受部中間部６３Ａおよび４つの受部連結部６３Ｂが同一の材料により一体的に形成された構造を有する。部品用受部６３は、受部中間部６３Ａまたは受部連結部６３Ｂにおいて部品外底面３８と接触することにより、高さ方向ＤＹにおいてスタンド４０に対する清掃機能部品３０の位置を規定する（図１１参照）。部品用受部６３は、部品用空間６２の下方向ＤＹＢ側の開口面積が適正面積範囲に含まれる構造を有する。適正面積範囲は、清掃機能部品３０の好ましい乾燥性および排水性が得られる範囲を示す。
【００６４】
受部中間部６３Ａは、長方形状または楕円形状に類似する形状を有する。受部中間部６３Ａは、スタンド４０の平面方向において、部品用空間６２の中間部分に形成されている。受部中間部６３Ａは、各受部連結部６３Ｂにより部品支持面６１に連結されている。
【００６５】
受部連結部６３Ｂは、長方形状に類似する形状を有する。受部連結部６３Ｂは、受部中間部６３Ａと部品支持面６１との間に形成されている。受部連結部６３Ｂの一方の端部は、受部中間部６３Ａと結合されている。受部連結部６３Ｂの他方の端部は、部品支持面６１のうちの下方向ＤＹＢ側の部分と結合されている。任意の１つの受部連結部６３Ｂは、受部中間部６３Ａのまわりにおいて別の２つの受部連結部６３Ｂと隣り合う。隣り合う２つの受部連結部６３Ｂは、受部連結部６３Ｂ同士の間に空間を形成している。
【００６６】
部品用支柱６４は、受部中間部６３Ａ上に形成されている。部品用支柱６４は、柱形状を有する。部品用支柱６４は、スタンド４０の平面視において、円形状を有する。部品用支柱６４は、結合部３４の内部の空間に挿入されることにより、清掃機能部品３０を支持する。
【００６７】
フランジ部４３は、スタンド４０の平面視において、非円形かつ線対称の形状を有する。フランジ部４３は、スタンド４０の平面視において、楕円形状に類似する形状を有する。フランジ部４３は、スタンド４０のうちの下方向ＤＹＢ側の部分に形成されている。フランジ部４３は、スタンド本体４１の外周面から突出している。フランジ部４３は、スタンド４０の平面視において、幅方向ＤＸに短手部分を有する。フランジ部４３は、スタンド４０の平面視において、奥行方向ＤＺに長手部分を有する。フランジ部４３の幅方向ＤＸの最大寸法は、フランジ部４３の奥行方向ＤＺの最小寸法よりも短い。フランジ部４３は、下部外周面４７およびカバー受面４８を有する。フランジ部４３は、カバー７０を下方向ＤＹＢ側から支持する構造を有する。
【００６８】
下部外周面４７は、スタンド４０の平面視において、非円形かつ線対称の形状を有する。下部外周面４７は、スタンド４０の平面視において、楕円形状に類似する形状を有する。下部外周面４７は、スタンド４０の平面視において、カバー７０のうちの下方向ＤＹＢ側の部分のカバー外周面７１Ｂと相似する形状を有する。下部外周面４７は、スタンド４０の平面視において、嵌合内側部４２と相似する形状を有する。下部外周面４７は、フランジ部４３の外周面を形成している。下部外周面４７は、カバー受面４８と連続している。下部外周面４７は、スタンド４０にカバー７０が取り付けられているとき、外部に露出する。下部外周面４７は、カバー外周面７１Ｂとともに電動口腔衛生装置セット１の外観を形成する。
【００６９】
カバー受面４８は、平面形状を有する。カバー受面４８は、フランジ部４３の頂面を形成している。カバー受面４８は、内側嵌合面４６および下部外周面４７と連続している。カバー受面４８は、カバー７０のカバー外底面７１Ｃと接触することにより、高さ方向ＤＹにおいてスタンド本体４１に対するカバー７０の位置を規定する。
【００７０】
スタンド脚部４４は、柱形状を有する。スタンド脚部４４は、スタンド本体４１の底部およびフランジ部４３の底部に形成されている。スタンド脚部４４は、スタンド本体４１の底部またはフランジ部４３の底部から下方向ＤＹＢに向けて突出している。スタンド脚部４４は、スタンド４０の設置面に接触する。スタンド脚部４４は、スタンド本体４１の底部およびフランジ部４３の底部と設置面との間に隙間を形成する。
【００７１】
図８〜図１０を参照して、カバー７０の構成について説明する。なお、図８〜図１０を参照する以下の説明において、衛生装置本体２０および清掃機能部品３０に関する構造は、図３により確認することができる。また、スタンド４０に関する構造は、図４〜図７により確認することができる。
【００７２】
カバー７０は、樹脂材料により形成されている。カバー７０は、美観の側面から、半透明の樹脂材料により形成されることが好ましい。カバー７０は、一例として、ＡＢＳ樹脂、ポリプロピレン、またはポリカーボネートにより形成される。
【００７３】
カバー７０は、縦長形状を有する。カバー７０は、周壁部７１、頂壁部７２、嵌合外側部７３、収容空間７４、および２つの通気孔７５を有する。カバー７０は、カバー内周面７１Ａ、カバー外周面７１Ｂ、カバー外底面７１Ｃ、カバー内頂面７２Ａ、カバー外頂面７２Ｂ、および外側嵌合面７３Ａを有する。カバー７０は、周壁部７１および頂壁部７２が同一の材料により一体的に形成された構造を有する。
【００７４】
周壁部７１は、縦長形状を有する。周壁部７１は、嵌合外側部７３、カバー内周面７１Ａ、カバー外周面７１Ｂ、およびカバー外底面７１Ｃを有する。周壁部７１は、本体支持部５０上の衛生装置本体２０、および部品支持部６０上の清掃機能部品３０を一纏めにして取り囲む構造を有する。
【００７５】
嵌合外側部７３は、周壁部７１の下方向ＤＹＢ側の部分を形成している。嵌合外側部７３は、スタンド４０の嵌合内側部４２とともに嵌合構造を形成する。嵌合外側部７３は、外側嵌合面７３Ａを有する。嵌合外側部７３は、カバー７０の底面視において、幅方向ＤＸに短手部分を有する。嵌合外側部７３は、カバー７０の底面視において、奥行方向ＤＺに長手部分を有する。嵌合外側部７３の幅方向ＤＸの最大寸法は、嵌合外側部７３の奥行方向ＤＺの最大寸法よりも短い。
【００７６】
外側嵌合面７３Ａは、カバー７０の底面視において、非円形かつ線対称の形状を有する。外側嵌合面７３Ａは、カバー７０の底面視において、楕円形状に類似する形状を有する。外側嵌合面７３Ａは、スタンド４０の内側嵌合面４６と相似する形状を有する。外側嵌合面７３Ａは、カバー内周面７１Ａの一部分としての嵌合外側部７３の内周面を形成している。外側嵌合面７３Ａは、カバー外底面７１Ｃと連続している。外側嵌合面７３Ａは、内側嵌合面４６と接触することにより、平面方向においてスタンド４０に対するカバー７０の位置を規定する。
【００７７】
頂壁部７２は、平面形状を有する。頂壁部７２は、カバー７０の平面視において、非円形かつ線対称の形状を有する。頂壁部７２は、周壁部７１の上方向ＤＹＴ側の端部に形成されている。頂壁部７２は、周壁部７１の上方向ＤＹＴ側の端部を閉塞している。頂壁部７２は、カバー内頂面７２Ａおよびカバー外頂面７２Ｂを有する。
【００７８】
カバー内周面７１Ａは、カバー７０の底面視において、非円形かつ線対称の形状を有する。カバー内周面７１Ａは、カバー７０の底面視において、楕円形状に類似する形状を有する。カバー内周面７１Ａは、高さ方向ＤＹにおいて周の長さが異なる。カバー内周面７１Ａは、周壁部７１の内周面を形成している。カバー内周面７１Ａは、カバー外底面７１Ｃおよびカバー内頂面７２Ａと連続している。
【００７９】
カバー外周面７１Ｂは、カバー７０の平面視において、非円形かつ線対称の形状を有する。カバー外周面７１Ｂは、カバー７０の平面視において、楕円形状に類似する形状を有する。カバー外周面７１Ｂは、周壁部７１の外周面を形成している。カバー外周面７１Ｂは、高さ方向ＤＹにおいて周の長さが異なる。カバー外周面７１Ｂは、カバー外底面７１Ｃおよびカバー外頂面７２Ｂと連続している。カバー外周面７１Ｂは、カバー７０がスタンド４０に取り付けられているとき、外部に露出する。カバー外周面７１Ｂは、スタンド４０の下部外周面４７とともに電動口腔衛生装置セット１の外観を形成する。カバー外周面７１Ｂは、電動口腔衛生装置１０を収納する物品であることが認識されにくい外観を形成する。
【００８０】
カバー外底面７１Ｃは、カバー７０の底面視において、非円形かつ線対称の形状を有する。カバー外底面７１Ｃは、カバー７０の底面視において、楕円形状に類似する形状を有する。カバー外底面７１Ｃは、平面形状を有する。カバー外底面７１Ｃは、周壁部７１の底面を形成している。カバー外底面７１Ｃは、カバー内周面７１Ａとしての外側嵌合面７３Ａ、およびカバー外周面７１Ｂと連続している。カバー外底面７１Ｃは、スタンド４０のカバー受面４８と接触することにより、高さ方向ＤＹにおいてスタンド４０に対するカバー７０の位置を規定する。
【００８１】
カバー内頂面７２Ａは、カバー７０の底面視において、非円形かつ線対称の形状を有する。カバー内頂面７２Ａは、カバー７０の底面視において、楕円形状に類似する形状を有する。カバー内頂面７２Ａは、平面形状を有する。カバー内頂面７２Ａは、頂壁部７２の内面を形成している。カバー内頂面７２Ａは、カバー内周面７１Ａと連続している。
【００８２】
カバー外頂面７２Ｂは、カバー７０の平面視において、非円形かつ線対称の形状を有する。カバー外頂面７２Ｂは、カバー７０の平面視において、楕円形状に類似する形状を有する。カバー外頂面７２Ｂは、平面形状を有する。カバー外頂面７２Ｂは、頂壁部７２の外面を形成している。カバー外頂面７２Ｂは、カバー外周面７１Ｂと連続している。カバー外頂面７２Ｂは、カバー外周面７１Ｂおよび下部外周面４７とともに電動口腔衛生装置セット１の外観を形成する。
【００８３】
収容空間７４は、縦長形状を有する。収容空間７４は、カバー内周面７１Ａおよびカバー内頂面７２Ａにより規定される形状を有する。収容空間７４は、カバー７０がスタンド４０に取り付けられていないとき、周壁部７１の下方向ＤＹＢの端部における開口部、および２つの通気孔７５を介して外部と連通している。収容空間７４は、カバー７０がスタンド４０に取り付けられているとき、２つの通気孔７５を介して外部と連通している。
【００８４】
各通気孔７５は、縦長形状を有する。各通気孔７５は、周壁部７１を貫通している。各通気孔７５は、同一の形状を有する。２つの通気孔７５は、カバー７０の平面視において、点対称の関係を有する。２つの通気孔７５は、カバー７０の幅方向ＤＸの中心および奥行方向ＤＺの中心を対称の中心として、点対称の関係を形成している。通気孔７５は、周壁部７１の高さ方向ＤＹの中間部分に形成されている。通気孔７５の幅方向ＤＸの中心線は、周壁部７１の幅方向ＤＸの中心線と一致している。通気孔７５の高さ方向ＤＹの長さは、衛生装置本体２０の高さよりも短い。通気孔７５は、収容空間７４と外部とを互いに連通する。通気孔７５は、収容空間７４の衛生装置本体２０または清掃機能部品３０の乾燥の促進に適した大きさを有する。通気孔７５は、カバー７０がスタンド４０に載せられているとき、衛生装置本体２０の装飾部２７を主として露出させる構造を有する。
【００８５】
図１〜図３を参照して、電動口腔衛生装置セット１の作用について説明する。
電動口腔衛生装置セット１は、次のとおり、スタンド４０およびカバー７０により電動口腔衛生装置１０を収容する。清掃機能部品３０は、衛生装置本体２０から分離される。衛生装置本体２０は、本体下方部２２が本体支持部５０に挿入されることにより、スタンド４０により支持される。清掃機能部品３０は、部品下方部３５が部品支持部６０に挿入されることにより、スタンド４０により支持される。
【００８６】
カバー７０は、スタンド４０のフランジ部４３に載せられることにより、嵌合外側部７３がスタンド４０の嵌合内側部４２に嵌合される。カバー７０は、スタンド４０に嵌合されているとき、衛生装置本体２０および清掃機能部品３０を一纏めにして取り囲む。
【００８７】
衛生装置本体２０および清掃機能部品３０は、カバー７０により取り囲まれているとき、使用者等に視認されにくくなる。このため、電動口腔衛生装置セット１は、室内の美観を向上させることに貢献する。
【００８８】
また、カバー７０は、スタンド４０との分離が可能な構造を有する。このため、電動口腔衛生装置セット１は、少なくとも２つの使用形態を使用者に提供する。１つめの使用形態は、スタンド４０に支持された衛生装置本体２０および清掃機能部品３０をカバー７０により取り囲む形態を示す。２つめの使用形態は、スタンド４０に支持された衛生装置本体２０および清掃機能部品３０を露出させ、カバー７０をスタンド４０とは別の箇所に収納する使用形態を示す。このため、使用者は、カバー７０を必要としない場合、電動口腔衛生装置１０の使用時にカバー７０を操作する必要がない。このため、利便性が向上する。このように、電動口腔衛生装置セット１は、室内の美観を向上させること、および利便性を向上させることに貢献する。
【００８９】
電動口腔衛生装置セット１は、以下の効果を奏する。
（１）電動口腔衛生装置セット１は、スタンド４０およびカバー７０を有する。このため、電動口腔衛生装置セット１は、室内の美観を向上させること、および利便性を向上させることに貢献する。
【００９０】
（２）スタンド４０は、本体支持部５０を有する。本体支持部５０は、本体下方部２２が挿入されることにより、衛生装置本体２０を支持する構造を有する。この構成によれば、スタンド４０における衛生装置本体２０の配置場所が規定されている。このため、使用者が衛生装置本体２０をスタンド４０に載せるときの作業性が向上する。また、スタンド４０上における衛生装置本体２０の姿勢が安定する。
【００９１】
（３）スタンド４０は、部品支持部６０を有する。部品支持部６０は、部品下方部３５が挿入されることにより、清掃機能部品３０を支持する構造を有する。この構成によれば、スタンド４０における清掃機能部品３０の配置場所が規定されている。このため、使用者が清掃機能部品３０をスタンド４０に載せるときの作業性が向上する。また、スタンド４０上における清掃機能部品３０の姿勢が安定する。
【００９２】
（４）スタンド４０は、上記（２）および（３）の構成を併せて有する。この構成によれば、スタンド４０上の衛生装置本体２０および清掃機能部品３０が互いに接触しにくい。このため、電動口腔衛生装置１０の衛生性が向上する。
【００９３】
（５）スタンド４０は、衛生装置本体２０および清掃機能部品３０を個別に支持する構造を有する。この構成によれば、衛生装置本体２０および清掃機能部品３０が互いに結合された電動口腔衛生装置１０を支持すると仮定した構成と比較して、電動口腔衛生装置セット１の高さが低くなる。このため、洗面台の棚等に収容しやすくなる。また、高さが低いことにより、転倒しにくくなる。
【００９４】
（６）スタンド４０は、奥行方向ＤＺにおいて、本体支持部５０の後方向ＤＺＲ側に部品支持部６０を有する。この構成によれば、清掃機能部品３０が衛生装置本体２０の背面に配置される。このため、カバー７０がスタンド４０に載せられていないとき、清掃機能部品３０が使用者等に視認されにくくなる。このため、電動口腔衛生装置セット１は、カバー７０が使用されない状態においても室内の美観を向上させることに貢献する。
【００９５】
（７）スタンド４０は、ガイド面４５を有する。この構成によれば、カバー７０のカバー外底面７１Ｃがガイド面４５に接触したとき、カバー外底面７１Ｃがフランジ部４３に向けてガイドされる。このため、使用者がカバー７０をスタンド４０に載せるときの作業性が向上する。
【００９６】
（８）スタンド４０は、平面視において非円形かつ線対称の形状を有する。この構成によれば、スタンド４０が平面視において円形状を有すると仮定した構成と比較して、平面視におけるスタンド４０の投影面積が小さくなる。このため、洗面台等の設置場所において電動口腔衛生装置セット１が占めるスペースが小さくなる。
【００９７】
（９）スタンド４０は、平面視において、幅方向ＤＸに短手部分を有し、奥行方向ＤＺに長手部分を有する。この構成によれば、電動口腔衛生装置セット１の正面視における投影面積が小さくなる。このため、使用者等に対してスリムな外観を認識させることができる。また、洗面台等の設置場所において電動口腔衛生装置セット１が幅方向ＤＸにおいて占めるスペースが小さくなる。
【００９８】
（１０）スタンド４０は、本体用空間５２および本体用受部５３を有する。本体用空間５２は、スタンド本体４１を貫通している。本体用受部５３は、本体用空間５２の下方向ＤＹＢ側の開口面積が適正面積範囲に含まれる構造を有する。この構成によれば、衛生装置本体２０の好ましい乾燥性および排水性が得られる。このため、電動口腔衛生装置１０の衛生性が向上する。
【００９９】
（１１）本体用受部５３は、衛生装置本体２０の本体下方部２２を支持する構造を有する。この構成によれば、スタンド４０が設置面から持ち上げられたとき、衛生装置本体２０が本体用空間５２を通過して下方向ＤＹＢ側に抜けることが抑制される。このため、使用者は、衛生装置本体２０をスタンド４０に載せた状態において、スタンド４０を持ち運ぶことができる。
【０１００】
（１２）スタンド４０は、部品用空間６２および部品用受部６３を有する。部品用空間６２は、スタンド本体４１を貫通している。部品用受部６３は、部品用空間６２の下方向ＤＹＢ側の開口面積が適正面積範囲に含まれる構造を有する。この構成によれば、清掃機能部品３０の好ましい乾燥性および排水性が得られる。このため、電動口腔衛生装置１０の衛生性が向上する。
【０１０１】
（１３）部品用受部６３は、清掃機能部品３０の部品下方部３５を支持する構造を有する。この構成によれば、スタンド４０が設置面から持ち上げられたとき、清掃機能部品３０が部品用空間６２を通過して下方向ＤＹＢ側に抜けることが抑制される。このため、使用者は、清掃機能部品３０をスタンド４０に載せた状態において、スタンド４０を持ち運ぶことができる。
【０１０２】
（１４）スタンド４０およびカバー７０は、嵌合内側部４２および嵌合外側部７３により嵌合構造を形成している。この構成によれば、スタンド４０に対するカバー７０の位置が規定される。このため、使用者がカバー７０をスタンド４０に載せるときの作業性が向上する。また、スタンド４０に対するカバー７０の位置ずれが生じにくいことにより、室内の美観を向上させる効果がより高くなる。
【０１０３】
（１５）カバー７０は、衛生装置本体２０および清掃機能部品３０を一纏めにして取り囲む構造を有する。この構成によれば、衛生装置本体２０および清掃機能部品３０がカバー７０の外側の各方向から視認されにくい。このため、室内の美観を向上させる効果がより高められる。
【０１０４】
（１６）カバー７０のカバー外周面７１Ｂは、スタンド４０の下部外周面４７とともに電動口腔衛生装置セット１の外観を形成する。この構成によれば、電動口腔衛生装置１０を収納する物品であることが認識されにくい外観が形成される。このため、室内の美観を向上させる効果がより高められる。
【０１０５】
（１７）カバー７０は、周壁部７１および頂壁部７２を有する。この構成によれば、収容空間７４に収容された衛生装置本体２０および清掃機能部品３０に埃等が付着しにくい。このため、電動口腔衛生装置１０の衛生性が向上する。
【０１０６】
（１８）カバー７０は、通気孔７５を有する。この構成によれば、収容空間７４に配置された衛生装置本体２０および清掃機能部品３０の乾燥が促進される。このため、電動口腔衛生装置１０の衛生性が向上する。
【０１０７】
（１９）通気孔７５は、カバー７０がスタンド４０に載せられているとき、衛生装置本体２０の装飾部２７を主として露出させる構造を有する。この構成によれば、衛生装置本体２０のうちのデザイン性が高い部分が通気孔７５を介して使用者等に視認される。このため、通気孔７５が衛生装置本体２０の別の部分を主として露出させると仮定した構成と比較して、室内の美観を向上させる効果が高められる。
【０１０８】
（２０）２つの通気孔７５は、同一の形状を有する。２つの通気孔７５は、カバー７０の平面視において、点対称の関係を有する。この構成によれば、２つの通気孔７５のいずれがスタンド４０の正面側に位置しても同じ外観が形成される。このため、使用者がカバー７０をスタンド４０に載せるとき、通気孔７５とスタンド４０との位置関係を考慮する必要がない。このため、使用者がカバー７０をスタンド４０に載せるときの作業性が向上する。
【０１０９】
（２１）電動口腔衛生装置セット９００は、観音開き式の扉９２２およびコップ９４０により電動歯ブラシ９１０を覆う構造を有する。すなわち、電動口腔衛生装置セット９００は、複雑な構成を有する。一方、電動口腔衛生装置セット１は、スタンド４０とは個別に形成されたカバー７０により、衛生装置本体２０および清掃機能部品３０を取り囲む構造を有する。このため、電動口腔衛生装置セット９００と比較して構成が簡素化される。
【０１１０】
（２２）電動口腔衛生装置セット９００は、観音開き式の扉９２２およびコップ９４０により電動歯ブラシ９１０を覆う構造を有する。このため、扉９２２の継ぎ目、および扉９２２とコップ９４０との継ぎ目が形成される。このため、室内の美観を向上させる効果を使用者に提供することができないおそれがある。一方、電動口腔衛生装置セット１は、単一の部品として形成されたカバー７０により、衛生装置本体２０および清掃機能部品３０を取り囲む構造を有する。このため、電動口腔衛生装置セット９００と比較して、室内の美観を向上させる効果が高くなる。
【０１１１】
（２３）電動口腔衛生装置セット９００は、コップ９４０を利用して電動歯ブラシ９１０を覆う。このため、衛生面において好ましくない。一方、電動口腔衛生装置セット１は、カバー７０単体により衛生装置本体２０および清掃機能部品３０を取り囲む構造を有する。このため、電動口腔衛生装置セット９００と比較して、電動口腔衛生装置１０の衛生性が向上する。このため、電動口腔衛生装置セット１は、室内の美観の向上および衛生性の向上を両立する。
【０１１２】
（第２実施形態）
第２実施形態の電動口腔衛生装置セット２は、次の点において第１実施形態の電動口腔衛生装置セット１と相違し、その他の点において第１実施形態の電動口腔衛生装置セット１と同じ構成を有する。第１実施形態の電動口腔衛生装置セット１は、図１〜図３に示される構成を有する。一方、第２実施形態の電動口腔衛生装置セット２は、図１２〜図１５に示される構成を有する。なお、第２実施形態の電動口腔衛生装置セット２の説明は、第１実施形態の電動口腔衛生装置セット１と共通する構成に同一の符号を付し、共通する構成の説明の一部または全部を省略する。
【０１１３】
図１２を参照して、電動口腔衛生装置セット２の構成について説明する。
電動口腔衛生装置セット２は、複数の構成部品として、電動口腔衛生装置１０、スタンド４０、カバー７０に加え、充電装置８０を有する。すなわち、電動口腔衛生装置セット２は、第１実施形態の電動口腔衛生装置セット１に充電装置８０を付加した構成を有する。電動口腔衛生装置セット２は、図１３および図１４に示されるとおり、室内の美観の向上に貢献する外観を有する。電動口腔衛生装置セット２は、充電装置８０によりスタンド４０を支持し、スタンド４０により電動口腔衛生装置１０を支持する構造を有する。電動口腔衛生装置セット２は、スタンド４０にカバー７０が取り付けられているとき、電動口腔衛生装置１０を収納する物品であることが認識されにくい外観を形成する。
【０１１４】
図１５を参照して、充電装置８０の構成について説明する。
充電装置８０は、非接触式電力伝送装置の形態を有する。充電装置８０は、スタンド４０との結合および分離が可能な構造を有する。充電装置８０は、充電ケース９０、電力伝送部８１、電源回路部８２、電源コード８３（図１２参照）、スタンド結合部８４（図１２参照）、および抜止部８５を有する。
【０１１５】
充電ケース９０は、樹脂材料により形成されている。充電ケース９０は、一例として、ＡＢＳ樹脂、ポリプロピレン、またはポリカーボネートにより形成される。充電ケース９０は、電力伝送部８１および電源回路部８２を収容している。充電ケース９０は、２つのスタンド受部９１、４つの充電装置脚部９２、ケース外周面９３、ケース対向面９４、ケース後方面９５、およびケース外底面９６を有する。充電ケース９０は、スタンド４０を下方向ＤＹＢ側から支持する構造を有する。充電ケース９０は、電源コード８３のコードおよびブッシュをまとめて収容する構造を有する。
【０１１６】
スタンド受部９１は、円弧形状を有する。スタンド受部９１は、ケース対向面９４のうちの外側部分に形成されている。スタンド受部９１は、ケース対向面９４から上方向ＤＹＴに向けて突出している。スタンド受部９１は、スタンド４０の底部を下方向ＤＹＢ側から支持する構造を有する。
【０１１７】
充電装置脚部９２は、円柱形状を有する。充電装置脚部９２は、ケース外底面９６から下方向ＤＹＢに向けて突出している。充電装置脚部９２は、充電装置８０の設置面に接触する。充電装置脚部９２は、ケース外底面９６と設置面との間に隙間を形成する。
【０１１８】
ケース外周面９３は、周方向において湾曲した形状を有する。ケース外周面９３は、充電ケース９０の外周面を形成している。ケース外周面９３は、ケース対向面９４、ケース後方面９５、およびケース外底面９６と連続している。ケース外周面９３は、カバー７０およびスタンド４０が充電ケース９０に載せられているとき、カバー外周面７１Ｂ、カバー外頂面７２Ｂ、下部外周面４７、およびケース後方面９５とともに電動口腔衛生装置セット２の外観を形成する。
【０１１９】
ケース対向面９４は、平面形状を有する。ケース対向面９４は、充電ケース９０の前方向ＤＺＦ側の部分の頂面を形成している。ケース対向面９４は、ケース外周面９３と連続している。ケース対向面９４は、スタンド４０が充電ケース９０に載せられているとき、スタンド脚部４４と接触し、スタンド本体４１の底部およびフランジ部４３の底部との間に隙間を形成する。
【０１２０】
ケース後方面９５は、湾曲形状を有する。ケース後方面９５は、充電ケース９０の後方向ＤＺＲ側の部分の頂面を形成している。ケース後方面９５は、ケース外周面９３と連続している。ケース後方面９５は、スタンド４０が充電ケース９０に載せられているとき、スタンド４０よりも後方向ＤＺＲ側の位置において外部に露出する。
【０１２１】
スタンド結合部８４は、樹脂材料により形成されている。スタンド結合部８４は、レール構造を有する。スタンド結合部８４は、ケース対向面９４に取り付けられている。スタンド結合部８４は、スタンド４０のレール構造部分が挿入されることにより、スタンド４０と結合する。
【０１２２】
抜止部８５は、半円柱形状を有する。抜止部８５は、スタンド結合部８４の頂面上に形成されている。抜止部８５は、スタンド結合部８４と同一の材料によりスタンド結合部８４と一体的に形成されている。抜止部８５は、スタンド４０の底部に形成された凸部と引掛構造を形成する。抜止部８５は、スタンド４０の凸部が引きかけられることにより、スタンド結合部８４に対するスタンド４０の移動を規制する。抜止部８５およびスタンド４０の凸部は、互いに乗り越え合うとき、使用者に好ましい操作感を付与する。
【０１２３】
第２実施形態の電動口腔衛生装置セット２は、第１実施形態の電動口腔衛生装置セット１が奏する（１）〜（２３）の効果と同様の効果を奏する。すなわち、室内の美観の向上させること、および利便性を向上させることに貢献する旨の効果、およびその他の種々の効果を奏する。また、第２実施形態の電動口腔衛生装置セット２は、さらに以下の効果を奏する。
【０１２４】
（２４）電動口腔衛生装置セット２は、充電装置８０およびスタンド４０を互いに結合および分離することが可能な構造を有する。この構成によれば、使用者は、スタンド４０を充電装置８０により支持する使用形態、および充電装置８０をスタンド４０から分離して別の箇所の収納する使用形態を選択することができる。このように、電動口腔衛生装置セット２は、使用者に多様な使用形態を提供することができる。
【０１２５】
（２５）電動口腔衛生装置セット２は、充電装置８０およびスタンド４０を互いに結合および分離することが可能な構造を有する。この構成によれば、充電装置８０が視認されることが室内の美観を損なうと考える使用者に対して、室内の美観を向上させる効果を提供することができる。
【０１２６】
（２６）電動口腔衛生装置セット２は、充電装置８０およびスタンド４０を互いに結合および分離することが可能な構造を有する。この構成によれば、１台の充電装置８０を複数の電動口腔衛生装置１０において共用することができる。このため、使用者は、保有する充電装置８０の数を少なくすることができる。
【０１２７】
（２７）ケース対向面９４は、スタンド本体４１の底部およびフランジ部４３の底部との間に隙間を形成する。この構成によれば、乾燥性および排水性が向上する。このため、ケース対向面９４上の水分に起因して充電装置８０の充電効率が低下することが抑制される。
【０１２８】
（２８）電動口腔衛生装置セット９００は、充電台９３０に凹所９３３を有する。このため、使用者は、電動歯ブラシ９１０の充電が必要なく、かつ電動歯ブラシ９１０を隠すことを希望する場合、電動歯ブラシ９１０を充電台９３０に載せる必要がある。このため、電動口腔衛生装置セット９００は、電動歯ブラシ９１０の充電が必要とされない場合、充電台９３０およびその電源コードが視認されることが室内の美観を損なうと考える使用者に対して、室内の美観を向上させる効果を提供することができない。
【０１２９】
一方、電動口腔衛生装置セット２は、充電装置８０をスタンド４０から分離することが可能な構造を有する。このため、使用者は、電動口腔衛生装置１０の充電を必要としない場合、充電装置８０をスタンド４０から分離することができる。このため、電動口腔衛生装置セット２は、電動口腔衛生装置セット９００とは異なり、充電装置８０が視認されることが室内の美観を損なうと考える使用者に対して、室内の美観を向上させる効果を提供することができる。
【０１３０】
（２９）電動口腔衛生装置セット９００の使用者は、電動歯ブラシ９１０の充電を必要としない場合、充電台９３０を設置場所とは別の箇所に収納することができる。一方、電動口腔衛生装置セット９００は、充電台９３０および扉９２２が一体化された構造を有する。このため、使用者は、電動歯ブラシ９１０の充電が必要ないことから、充電台９３０を設置場所とは別の箇所に収納した場合、電動歯ブラシ９１０を扉９２２により隠すことができない。このように、電動口腔衛生装置セット９００は、電動歯ブラシ９１０の充電が必要とされない場合において、電動歯ブラシ９１０を隠すことにより美観を向上させる効果を使用者に提供することができない。
【０１３１】
一方、電動口腔衛生装置セット２は、充電装置８０、スタンド４０、およびカバー７０を互いに分離することが可能な構造を有する。このため、使用者は、電動口腔衛生装置１０の充電を必要としない場合、充電装置８０を設置場所とは別の箇所に収納し、カバー７０をスタンド４０に載せることができる。このため、電動口腔衛生装置セット２は、電動口腔衛生装置１０の充電が必要とされない場合において、充電装置８０の収納による美観の向上、およびカバー７０の使用による美観の向上の両方の効果を使用者に提供することができる。
【０１３２】
（その他の実施形態）
本電動口腔衛生装置セットは、第１実施形態および第２実施形態とは異なるその他の実施形態を含む。その他の実施形態は、一例として、以下に示される第１実施形態または第２実施形態の変形例としての形態を有する。なお、以下の各変形例は、技術的に矛盾しない範囲において互いに組み合わせることができる。
【０１３３】
・第２実施形態の電動口腔衛生装置セット２は、充電装置８０およびスタンド４０の結合および分離が可能な構造を有する。ただし、充電装置８０およびスタンド４０の関係は、第２実施形態に例示された関係に限られない。変形例の電動口腔衛生装置セットは、充電装置およびスタンドが一体化された構造を有する。
【０１３４】
・第１実施形態および第２実施形態のスタンド４０およびカバー７０は、嵌合内側部４２および嵌合外側部７３により嵌合構造を形成する。嵌合内側部４２および嵌合外側部７３は、平面視において非円形かつ線対称の形状を有する。ただし、スタンド４０およびカバー７０の嵌合構造は、各実施形態に例示された内容に限られない。変形例の嵌合内側部および嵌合外側部は、平面視において円形状、楕円形状、または多角形状を有する。
【０１３５】
・第１実施形態および第２実施形態のカバー７０は、２つの通気孔７５を有する。ただし、通気孔７５の個数は、各実施形態に例示された内容に限られない。変形例のカバーは、一例として、１つまたは３つ以上のいずれかの個数の通気孔７５を有する。または、変形例のカバーは、通気孔７５を省略している。
【０１３６】
・第１実施形態および第２実施形態のカバー７０は、通気孔７５により電動口腔衛生装置１０の乾燥を促進させる構造を有する。ただし、通気に関するカバー７０の構造は、各実施形態に例示された内容に限られない。変形例のカバーは、一例として、通気用切欠を有する。通気用切欠は、周壁部の下方向ＤＹＢ側の端部から高さ方向ＤＹの所定位置までにわたり形成される。通気用切欠は、通気孔７５と同様、電動口腔衛生装置１０の乾燥の促進に適した大きさを有する。
【０１３７】
・第１実施形態および第２実施形態のカバー７０は、周壁部７１および頂壁部７２を有する。ただし、カバー７０の構造は、各実施形態に例示された内容に限られない。変形例のカバーは、一例として、頂壁部７２を省略している。
【０１３８】
・第１実施形態および第２実施形態のスタンド４０は、本体支持部５０および部品支持部６０を有する。ただし、スタンド４０の構造は、各実施形態に例示された内容に限られない。変形例のスタンドは、一例として、本体支持部５０および部品支持部６０の少なくとも一方を省略している。
【０１３９】
・第１実施形態および第２実施形態の本体支持部５０は、本体下方部２２が挿入されることにより、衛生装置本体２０を支持する構造を有する。ただし、本体支持部５０の構造は、各実施形態に例示された内容に限られない。変形例の本体支持部は、一例として、本体用空間５２を省略し、本体下方部２２を支持する支持面を有する。
【０１４０】
・第１実施形態および第２実施形態の部品支持部６０は、部品下方部３５が挿入されることにより、清掃機能部品３０を支持する構造を有する。ただし、部品支持部６０の構造は、各実施形態に例示された内容に限られない。変形例の本体支持部は、一例として、部品用空間６２を省略し、部品下方部３５を支持する支持面を有する。
【０１４１】
・第１実施形態および第２実施形態のスタンド４０は、１つの本体支持部５０を有する。ただし、本体支持部５０の数は、各実施形態に例示された内容に限られない。変形例のスタンドは、２つ以上のいずれかの数の本体支持部５０を有する。
【０１４２】
・第１実施形態および第２実施形態のスタンド４０は、１つの部品支持部６０を有する。ただし、部品支持部６０の数は、各実施形態に例示された内容に限られない。変形例のスタンドは、２つ以上のいずれかの数の部品支持部６０を有する。
【０１４３】
・第１実施形態および第２実施形態のスタンド４０は、フランジ部４３によりカバー７０を支持する構造を有する。ただし、カバー７０の支持に関する構造は、各実施形態に例示された内容に限られない。変形例のスタンドは、一例として、フランジ部４３に代えて複数の支持突部を有する。このスタンドは、複数の支持突部によりカバー７０を支持する構造を有する。また、別の変形例のスタンドは、フランジ部４３を省略している。このスタンドは、カバー７０を支持する構造を有していない。カバーは、スタンドの設置面に直接的または間接的に配置される。
【０１４４】
・第１実施形態および第２実施形態のカバー７０は、互い分離された衛生装置本体２０および清掃機能部品３０を取り囲む構造を有する。ただし、カバー７０による電動口腔衛生装置１０の取り囲み形態は、各実施形態に例示された内容に限られない。変形例のカバーは、一例として、衛生装置本体２０および清掃機能部品３０が互いに結合された電動口腔衛生装置１０を取り囲む構造を有する。
【０１４５】
・第１実施形態および第２実施形態の電動口腔衛生装置セット１，２は、カバー７０により衛生装置本体２０および清掃機能部品３０を取り囲む構造を有する。ただし、カバー７０が取り囲む対象の部品は、各実施形態に例示された内容に限られない。変形例の電動口腔衛生装置セットは、一例として以下の取り囲み構造を有する。
【０１４６】
［変形例Ａ］の取り囲み構造は、衛生装置本体２０の一部を取り囲む構造、および清掃機能部品３０の全部を取り囲まない構造を有する。［変形例Ａ］の取り囲み構造は、少なくとも次の２つの形態を含む。
【０１４７】
１つめの形態としての［変形例Ａ１］は、カバーに取り囲まれた衛生装置本体２０の一部が、カバーの外側から完全に視認されない形態を示す。２つめの形態としての［変形例Ａ２］は、カバーに取り囲まれた衛生装置本体２０の一部に含まれる一部が、カバーの外側から視認される形態を示す。［変形例Ａ２］は、室内の美観が損なわれない範囲において、衛生装置本体２０の一部が視認できる状態を形成する。［変形例Ａ２］は、次の［変形例Ａ３］を含む。
【０１４８】
［変形例Ａ３］は、カバーに通気孔および通気用切欠の少なくとも一方を有する。通気孔および通気用切欠の少なくとも一方は、カバーに取り囲まれた衛生装置本体２０の一部に含まれる一部が、カバーの外側から視認される状態を形成する。
【０１４９】
［変形例Ｂ］の取り囲み構造は、衛生装置本体２０の全部を取り囲む構造、および清掃機能部品３０の全部を取り囲まない構造を有する。［変形例Ｂ］の取り囲み構造は、少なくとも次の２つの形態を含む。
【０１５０】
１つめの形態としての［変形例Ｂ１］は、カバーに取り囲まれた衛生装置本体２０の全部が、カバーの外側から完全に視認されない形態を示す。２つめの形態としての［変形例Ｂ２］は、カバーに取り囲まれた衛生装置本体２０の全部に含まれる一部が、カバーの外側から視認される形態を示す。［変形例Ｂ２］は、室内の美観が損なわれない範囲において、衛生装置本体２０の一部が視認できる状態を形成する。［変形例Ｂ２］は、次の［変形例Ｂ３］を含む。
【０１５１】
［変形例Ｂ３］は、カバーに通気孔および通気用切欠の少なくとも一方を有する。通気孔および通気用切欠の少なくとも一方は、カバーに取り囲まれた衛生装置本体２０の全部に含まれる一部が、カバーの外側から視認される状態を形成する。
【０１５２】
・第１実施形態および第２実施形態の電動口腔衛生装置セット１，２は、カバー７０により衛生装置本体２０の全部および清掃機能部品３０の全部を一纏めにして取り囲む構造を有する。ただし、カバー７０による部品の取り囲み構造は、各実施形態に例示された内容に限られない。変形例のカバーは、一例として以下の取り囲み構造を有する。
【０１５３】
［変形例Ｃ］の取り囲み構造は、本体支持部５０上の衛生装置本体２０の一部、および部品支持部６０上の清掃機能部品３０の一部を一纏めにして取り囲む構造を有する。［変形例Ｃ］の取り囲み構造は、少なくとも次の３つの形態を含む。
【０１５４】
１つめの形態としての［変形例Ｃ１］は、カバーに取り囲まれた衛生装置本体２０の一部および清掃機能部品３０の一部が、カバーの外側から完全に視認されない形態を示す。２つめの形態としての［変形例Ｃ２］は、カバーに取り囲まれた衛生装置本体２０の一部に含まれる一部が、カバーの外側から視認される形態を示す。３つめの形態としての［変形例Ｃ３］は、カバーに取り囲まれた清掃機能部品３０の一部に含まれる一部が、カバーの外側から視認される形態を示す。［変形例Ｃ２］および［変形例Ｃ３］は、室内の美観が損なわれない範囲において、衛生装置本体２０の一部または清掃機能部品３０の一部が視認できる状態を形成する。［変形例Ｃ２］または［変形例Ｃ３］は、次の［変形例Ｃ４］を含む。
【０１５５】
［変形例Ｃ４］は、カバーに通気孔および通気用切欠の少なくとも一方を有する。通気孔および通気用切欠の少なくとも一方は、カバーに取り囲まれた衛生装置本体２０の一部に含まれる一部が、カバーの外側から視認される状態を形成する。または、通気孔および通気用切欠の少なくとも一方は、カバーに取り囲まれた清掃機能部品３０の一部に含まれる一部が、カバーの外側から視認される状態を形成する。
【０１５６】
［変形例Ｄ］の取り囲み構造は、本体支持部５０上の衛生装置本体２０の全部、および部品支持部６０上の清掃機能部品３０の一部を一纏めにして取り囲む構造を有する。［変形例Ｄ］の取り囲み構造は、少なくとも次の３つの形態を含む。
【０１５７】
１つめの形態としての［変形例Ｄ１］は、カバーに取り囲まれた衛生装置本体２０の全部および清掃機能部品３０の一部が、カバーの外側から完全に視認されない形態を示す。２つめの形態としての［変形例Ｄ２］は、カバーに取り囲まれた衛生装置本体２０の全部に含まれる一部が、カバーの外側から視認される形態を示す。３つめの形態としての［変形例Ｄ３］は、カバーに取り囲まれた清掃機能部品３０の一部に含まれる一部が、カバーの外側から視認される形態を示す。［変形例Ｄ２］および［変形例Ｄ３］は、室内の美観が損なわれない範囲において、衛生装置本体２０の一部または清掃機能部品３０の一部が視認できる状態を形成する。［変形例Ｄ２］または［変形例Ｄ３］は、さらに次の［変形例Ｄ４］を含む。
【０１５８】
［変形例Ｄ４］は、カバーに通気孔および通気用切欠の少なくとも一方を有する。通気孔および通気用切欠の少なくとも一方は、カバーに取り囲まれた衛生装置本体２０の全部に含まれる一部が、カバーの外側から視認される状態を形成する。または、通気孔および通気用切欠の少なくとも一方は、カバーに取り囲まれた清掃機能部品３０の一部に含まれる一部が、カバーの外側から視認される状態を形成する。
【０１５９】
［変形例Ｅ］の取り囲み構造は、本体支持部５０上の衛生装置本体２０の一部、および部品支持部６０上の清掃機能部品３０の全部を一纏めにして取り囲む構造を有する。［変形例Ｅ］の取り囲み構造は、少なくとも次の３つの形態を含む。
【０１６０】
１つめの形態としての［変形例Ｅ１］は、カバーに取り囲まれた衛生装置本体２０の一部および清掃機能部品３０の全部が、カバーの外側から完全に視認されない形態を示す。２つめの形態としての［変形例Ｅ２］は、カバーに取り囲まれた衛生装置本体２０の一部に含まれる一部が、カバーの外側から視認される形態を示す。３つめの形態としての［変形例Ｅ３］は、カバーに取り囲まれた清掃機能部品３０の全部に含まれる一部が、カバーの外側から視認される形態を示す。［変形例Ｅ２］および［変形例Ｅ３］は、室内の美観が損なわれない範囲において、衛生装置本体２０の一部または清掃機能部品３０の一部が視認できる状態を形成する。［変形例Ｅ２］または［変形例Ｅ３］は、さらに次の［変形例Ｅ４］を含む。
【０１６１】
［変形例Ｅ４］は、カバーに通気孔および通気用切欠の少なくとも一方を有する。通気孔および通気用切欠の少なくとも一方は、カバーに取り囲まれた衛生装置本体２０の一部に含まれる一部が、カバーの外側から視認される状態を形成する。または、通気孔および通気用切欠の少なくとも一方は、カバーに取り囲まれた清掃機能部品３０の全部に含まれる一部が、カバーの外側から視認される状態を形成する。
【０１６２】
［変形例Ｆ］の取り囲み構造は、本体支持部５０上の衛生装置本体２０の全部、および部品支持部６０上の清掃機能部品３０の全部を一纏めにして取り囲む構造を有する。［変形例Ｆ］の取り囲み構造は、少なくとも次の３つの形態を含む。
【０１６３】
１つめの形態としての［変形例Ｆ１］は、カバーに取り囲まれた衛生装置本体２０の全部および清掃機能部品３０の全部が、カバーの外側から完全に視認されない形態を示す。２つめの形態としての［変形例Ｆ２］は、カバーに取り囲まれた衛生装置本体２０の全部に含まれる一部が、カバーの外側から視認される形態を示す。３つめの形態としての［変形例Ｆ３］は、カバーに取り囲まれた清掃機能部品３０の全部に含まれる一部が、カバーの外側から視認される形態を示す。［変形例Ｆ２］および［変形例Ｆ３］は、室内の美観が損なわれない範囲において、衛生装置本体２０の一部または清掃機能部品３０の一部が視認できる状態を形成する。［変形例Ｆ２］または［変形例Ｆ３］は、さらに次の［変形例Ｆ４］を含む。
【０１６４】
［変形例Ｆ４］は、カバーに通気孔および通気用切欠の少なくとも一方を有する。通気孔および通気用切欠の少なくとも一方は、カバーに取り囲まれた衛生装置本体２０の全部に含まれる一部が、カバーの外側から視認される状態を形成する。または、通気孔および通気用切欠の少なくとも一方は、カバーに取り囲まれた清掃機能部品３０の全部に含まれる一部が、カバーの外側から視認される状態を形成する。
【０１６５】
なお、「室内の美観が損なわれない範囲」は、一例として、一般的な使用者が有する室内の美観に関する考え方、または衛生装置本体、清掃機能部品、スタンド、およびカバーの構造等に基づいて、規定することができる。
【０１６６】
・第１実施形態および第２実施形態の電動口腔衛生装置１０は、電動歯ブラシの形態を有する。ただし、電動口腔衛生装置１０の構成は、各実施形態に例示された内容に限られない。変形例の電動口腔衛生装置は、一例として、電動歯間ブラシ、電動ステインクリーナー、または電動舌ブラシの形態を有する。
【０１６７】
（課題を解決するための手段に関する付記）
課題を解決するための手段は、下記の各付記手段のとおり記述することもできる。なお、各付記手段が有する事項は、各実施形態において開示された事項に対応している。
【０１６８】
［付記手段１］
請求項１１〜１３のいずれか一項に記載の電動口腔衛生装置セットは、次の事項を有する。前記部品支持部は、部品支持面、部品用空間、部品用受部、および部品用支柱を有し、前記部品用空間に前記部品下方部が挿入されることにより前記清掃機能部品を支持する構造を有する。前記部品用空間は、前記部品支持面に囲まれて形成され、前記スタンドを貫通する。前記部品用受部は、前記部品支持面における前記充電装置側の縁と連続する。前記部品用支柱は、前記部品用受部上に形成されている。
【０１６９】
［付記手段２］
請求項１〜１３のいずれか一項または付記手段１に記載の電動口腔衛生装置セットは、次の事項を有する。前記電動口腔衛生装置は、電動歯ブラシの形態を有する。
【符号の説明】
【０１７０】
１…電動口腔衛生装置セット、２…電動口腔衛生装置セット
１０…電動口腔衛生装置、１１…電池
２０…衛生装置本体、２１…ケース、２２…本体下方部、２３…本体上方部、２４…本体外周面、２５…本体外底面、２６…結合部、２７…装飾部、２８…操作部、２９…電動アクチュエーター
３０…清掃機能部品、３１…機能部品本体、３２…ステー、３３…ヘッド、３４…結合部、３５…部品下方部、３６…部品上方部、３７…部品外周面、３８…部品外底面、３９…ブラシ
４０…スタンド、４１…スタンド本体、４２…嵌合内側部、４３…フランジ部、４４…スタンド脚部、４５…ガイド面、４６…内側嵌合面、４７…下部外周面、４８…カバー受面
５０…本体支持部、５１…本体支持面、５２…本体用空間、５３…本体用受部
６０…部品支持部、６１…部品支持面、６２…部品用空間、６３…部品用受部、６３Ａ…受部中間部、６３Ｂ…受部連結部、６４…部品用支柱
７０…カバー、７１…周壁部、７１Ａ…カバー内周面、７１Ｂ…カバー外周面、７１Ｃ…カバー外底面、７２…頂壁部、７２Ａ…カバー内頂面、７２Ｂ…カバー外頂面、７３…嵌合外側部、７３Ａ…外側嵌合面、７４…収容空間、７５…通気孔
８０…充電装置、８１…電力伝送部、８２…電源回路部、８３…電源コード、８４…スタンド結合部、８５…抜止部
９０…充電ケース、９１…スタンド受部、９２…充電装置脚部、９３…ケース外周面、９４…ケース対向面、９５…ケース後方面、９６…ケース外底面
ＤＸ…幅方向、ＤＸＲ…右方向、ＤＸＬ…左方向、ＤＹ…高さ方向、ＤＹＴ…上方向、ＤＹＢ…下方向、ＤＺ…奥行方向、ＤＺＦ…前方向、ＤＺＲ…後方向
【図１】
2014113270.tif 000003
【図２】
2014113270.tif 000004
【図３】
2014113270.tif 000005
【図４】
2014113270.tif 000006
【図５】
2014113270.tif 000007
【図６】
2014113270.tif 000008
【図７】
2014113270.tif 000009
【図８】
2014113270.tif 000010
【図９】
2014113270.tif 000011
【図１０】
2014113270.tif 000012
【図１１】
2014113270.tif 000013
【図１２】
2014113270.tif 000014
【図１３】
2014113270.tif 000015
【図１４】
2014113270.tif 000016
【図１５】
2014113270.tif 000017
【図１６】
2014113270.tif 000018
【図１７】
2014113270.tif 000019
【図１８】
2014113270.tif 000020